【手続補正書】
【提出日】平成22年4月6日(2010.4.6)
【手続補正１】
【補正対象書類名】特許請求の範囲
【補正対象項目名】全文
【補正方法】変更
【補正の内容】
【特許請求の範囲】
【請求項１】
一対の電極間に、発光層を含む少なくとも一層の有機層を有し、前記発光層中に少なくとも一つの電子注入輸送化合物と、少なくとも一つの正孔注入輸送化合物と、及び少なくとも一つの緑色又は青色りん光発光化合物とを含有し、電子注入輸送化合物、及び正孔注入輸送化合物の最低励起三重項状態のエネルギー値（Ｔ１値）は、緑色又は青色りん光発光化合物のＴ１値と等しいかそれ以上であり、
前記電子注入輸送化合物が含窒素６員環化合物であり、前記正孔注入輸送化合物が下記一般式（３）で表される化合物である有機電界発光素子。
【化１】
2010034573.tif 000001
（式中、Ｒ３２〜Ｒ３５はそれぞれ水素原子又は置換基を表し、該置換基同士が結合して環構造を形成してもよい。Ｌ３１は連結基を表す。Ｌ３２は２価以上の連結基を表す。ｎ３１は３又は４を表す。ｎ３２は０〜６の整数を表す。）
【請求項２】
前記含窒素６員環化合物が、一般式（８）、一般式（９）、一般式（１０）又は一般式（１１）で表される化合物であることを特徴とする請求項１に記載の有機電界発光素子。
【化２】
2010034573.tif 000002
（上記一般式中、Ｒ８１〜Ｒ８５、Ｒ９１〜Ｒ９４、Ｒ１０１〜Ｒ１０４、Ｒ１１１〜Ｒ１１３はそれぞれ水素原子または置換基を表す。）
【請求項３】
前記含窒素６員環化合物が下記一般式（１１）で表される化合物である請求項１又は２に記載の有機電界発光素子。
【化３】
2010034573.tif 000003
（一般式（１１）中、Ｒ１１１〜Ｒ１１３はそれぞれカルバゾリル基を表す。）
【請求項４】
正孔注入輸送化合物のイオン化ポテンシャル（Ｉｐ値）が５．６ｅＶ以上６．１ｅＶ以下である請求項１〜３のいずれか一項に記載の有機電界発光素子。
【請求項５】
電子注入輸送化合物の電子親和力（Ｅａ値）が２．０ｅＶ以上３．５ｅＶ以下である請求項１〜４のいずれか一項に記載の有機電界発光素子。
【請求項６】
緑色又は青色りん光発光化合物が、三重項励起状態を経由して発光できる遷移金属錯体である請求項１〜５のいずれか一項に記載の有機電界発光素子。
【請求項７】
電子注入輸送化合物、正孔注入輸送化合物、及び緑色又は青色りん光発光化合物のＴ１値が６２Ｋｃａｌ／ｍｏｌ（２５９ＫＪ／ｍｏｌ）以上であり、かつ、緑色又は青色りん光発光化合物から得られるりん光のλｍａｘ（発光極大波長）が５００ｎｍ以下である請求項１〜６のいずれか一項に記載の有機電界発光素子。
【手続補正２】
【補正対象書類名】明細書
【補正対象項目名】００２３
【補正方法】変更
【補正の内容】
【００２３】
Ｒ８１〜Ｒ８５、Ｒ９１〜Ｒ９４、Ｒ１０１〜Ｒ１０４、Ｒ１１１〜Ｒ１１３はそれぞ
れ水素原子または置換基を表す。
２２．発光層に含まれる電子注入輸送化合物の少なくとも一つが含窒素ヘテロ環化合物で
あり、かつ、正孔注入輸送化合物の少なくとも一つがピロール系化合物であることを特徴
とする前記１〜２１のいずれかに記載の有機電界発光素子。
２３．発光層に含まれる電子注入輸送化合物の少なくとも一つが含窒素ヘテロ環化合物で
あり、かつ、正孔注入輸送化合物の少なくとも一つがトリアリールアミン系化合物である
ことを特徴とする前記１〜２１のいずれかに記載の有機電界発光素子。
２４．発光層に含まれる電子注入輸送化合物の少なくとも一つが含窒素ヘテロ環化合物で
あり、かつ、正孔注入輸送化合物の少なくとも一つが炭化水素系芳香族化合物であること
を特徴とする前記１〜２１のいずれかに記載の有機電界発光素子。
２５．発光層に含まれる電子注入輸送化合物の少なくとも一つが炭化水素系芳香族化合物
であり、かつ、正孔注入輸送化合物の少なくとも一つがトリアリールアミン系化合物であ
ることを特徴とする前記１〜２１のいずれかに記載の有機電界発光素子。
２６．発光層に含まれる正孔注入輸送化合物の少なくとも一つが炭化水素系芳香族化合物
であり、かつ、正孔注入輸送化合物の少なくとも一つがピロール系化合物であることを特
徴とする前記１〜２１のいずれかに記載の有機電界発光素子。
２７．発光層が電子注入輸送化合物と正孔注入輸送化合物の積層構造を少なくとも一つ有
することを特徴とする、前記１〜２６のいずれかに記載の有機電界発光素子。
２８．発光層が電子注入輸送化合物と正孔注入輸送化合物の複数のドメイン構造を有する
ことを特徴とする、前記１〜２６のいずれかに記載の有機電界発光素子。
本発明は、下記［１］〜［７］に係る発明である。
［１］一対の電極間に、発光層を含む少なくとも一層の有機層を有し、前記発光層中に少なくとも一つの電子注入輸送化合物と、少なくとも一つの正孔注入輸送化合物と、及び少なくとも一つの緑色又は青色りん光発光化合物とを含有し、電子注入輸送化合物、及び正孔注入輸送化合物の最低励起三重項状態のエネルギー値（Ｔ１値）は、緑色又は青色りん光発光化合物のＴ１値と等しいかそれ以上であり、
前記電子注入輸送化合物が含窒素６員環化合物であり、前記正孔注入輸送化合物が下記一般式（３）で表される化合物である有機電界発光素子。
【化４】
2010034573.tif 000004
（式中、Ｒ３２〜Ｒ３５はそれぞれ水素原子又は置換基を表し、該置換基同士が結合して環構造を形成してもよい。Ｌ３１は連結基を表す。Ｌ３２は２価以上の連結基を表す。ｎ３１は３又は４を表す。ｎ３２は０〜６の整数を表す。）
［２］
前記含窒素６員環化合物が、一般式（８）、一般式（９）、一般式（１０）又は一般式（１１）で表される化合物であることを特徴とする前記［１］に記載の有機電界発光素子。
【化５】
2010034573.tif 000005
（上記一般式中、Ｒ８１〜Ｒ８５、Ｒ９１〜Ｒ９４、Ｒ１０１〜Ｒ１０４、Ｒ１１１〜Ｒ１１３はそれぞれ水素原子または置換基を表す。）
［３］
前記含窒素６員環化合物が下記一般式（１１）で表される化合物である前記［１］又は［２］に記載の有機電界発光素子。
【化６】
2010034573.tif 000006
（一般式（１１）中、Ｒ１１１〜Ｒ１１３はそれぞれカルバゾリル基を表す。）
［４］
正孔注入輸送化合物のイオン化ポテンシャル（Ｉｐ値）が５．６ｅＶ以上６．１ｅＶ以下である前記［１］〜［３］のいずれか一項に記載の有機電界発光素子。
［５］
電子注入輸送化合物の電子親和力（Ｅａ値）が２．０ｅＶ以上３．５ｅＶ以下である前記［１］〜［４］のいずれか一項に記載の有機電界発光素子。
［６］
緑色又は青色りん光発光化合物が、三重項励起状態を経由して発光できる遷移金属錯体である前記［１］〜［５］のいずれか一項に記載の有機電界発光素子。
［７］
電子注入輸送化合物、正孔注入輸送化合物、及び緑色又は青色りん光発光化合物のＴ１値が６２Ｋｃａｌ／ｍｏｌ（２５９ＫＪ／ｍｏｌ）以上であり、かつ、緑色又は青色りん光発光化合物から得られるりん光のλｍａｘ（発光極大波長）が５００ｎｍ以下である前記［１］〜［６］のいずれか一項に記載の有機電界発光素子。
本発明は、上記［１］〜［７］に係る発明であるが、以下、それ以外の事項についても記載している。
【手続補正３】
【補正対象書類名】明細書
【補正対象項目名】０１３２
【補正方法】変更
【補正の内容】
【０１３２】
以下に本発明の実施例を述べるが本発明は実施例に限定されない。なお、以下の実施例１〜４及び８は「参考例」と読み替えるものとする。